(57)【要約】【課題】照らされる面にムラの発生が生じない奥行きの狭い点灯可能な入力部を備えた加熱調理器を提供する。【解決手段】加熱手段を制御する制御手段と、各種設定を入力する操作表示部とを備え、操作表示部は、各種設定や指示内容を表示する表示部と、表示部の周囲に光の通す外周部と、外周部を支持する板バネとを設けた入力部と、前記加熱手段の各種設定や指示の内容を制御手段に入力する入力キーと入力部を内側から照らすバックライトを設けたパネル基板と、入力部の裏側に当接して入力キーを押すボスを有した押下部を板バネで支持するパネルを備え、押下部は、片側を開口したすり鉢の形状をした反射部からなり、前記開口部は表示部より大きく開口して外周部の端面裏側に当接し、前記開口部と対向する位置にバックライトを望ませる穴を備えた。【選択図】  図１０
2012229876.tif 000002
【特許請求の範囲】
【請求項１】
本体と、該本体の加熱室と、該加熱室の前面を覆うドアと、被加熱物を加熱する加熱手段と、該加熱手段を制御する制御手段と、前記加熱手段の各種設定や指示の内容を入力する操作表示部とを備え、前記操作表示部は、各種設定や指示内容を表示する表示部と、該表示部の周囲に光の通す外周部と、該外周部を支持する板バネとを設けた入力部と、前記加熱手段の各種設定や指示の内容を前記制御手段に入力する入力キーと前記入力部を内側から照らすバックライトを設けたパネル基板と、前記入力部の裏側に当接して前記入力キーを押すボスを有した押下部を板バネで支持するパネルを備え、
前記押下部は、片側を開口したすり鉢の形状をした反射部からなり、前記開口部は前記表示部より大きく開口して前記外周部の端面裏側に当接し、前記開口部と対向する位置に前記バックライトを望ませる穴を備えたことを特徴とする加熱調理器。
【発明の詳細な説明】
【技術分野】
【０００１】
本発明は、点灯可能な入力部を備えた加熱調理器に関するものである。
【背景技術】
【０００２】
特許文献１には、液晶表示素子を裏面から照明する構造として、照明手段よりも小さな遮蔽物を照明手段と液晶表示素子との間に設けて液晶表示装置の小型化を図った調理器が開示されている。
【先行技術文献】
【特許文献】
【０００３】
【特許文献１】特開２００１−１９３９４３号公報
【発明の概要】
【発明が解決しようとする課題】
【０００４】
しかしながら、上記の従来技術に示すものでは、遮蔽板を支える脚部について下記の課題がある。
【０００５】
まず、脚部を細く作らなければならないため、遮蔽板を取付ける作業の時や成形時に折れるなどの不具合が考えられる。
【０００６】
また、光が通っている枠体の中に、脚部を入れることで影が発生するため、一様な発光を得ることができない。例えば、脚部を透明な樹脂で作った場合でも光が脚部を透過する時に光の屈折が発生すること、また光が樹脂の中を透過する時に減衰が生じることで液晶表示素子の裏から照らされる明かりにムラが生じる。
【課題を解決するための手段】
【０００７】
上記課題を解決するため、本体と、該本体の加熱室と、該加熱室の前面を覆うドアと、被加熱物を加熱する加熱手段と、該加熱手段を制御する制御手段と、前記加熱手段の各種設定や指示の内容を入力する操作表示部とを備え、前記操作表示部は、各種設定や指示内容を表示する表示部と、該表示部の周囲に光の通す外周部と、該外周部を支持する板バネとを設けた入力部と、前記加熱手段の各種設定や指示の内容を前記制御手段に入力する入力キーと前記入力部を内側から照らすバックライトを設けたパネル基板と、前記入力部の裏側に当接して前記入力キーを押すボスを有した押下部を板バネで支持するパネルを備え、前記押下部は、片側を開口したすり鉢の形状をした反射部からなり、前記開口部は前記表示部より大きく開口して前記外周部の端面裏側に当接し、前記開口部と対向する位置に前記バックライトを望ませる穴を備えた。
【発明の効果】
【０００８】
本発明によれば、厚さが薄く、発光ムラの少ない入力部を備えた調理器を得ることができる。
【図面の簡単な説明】
【０００９】
【図１】一実施例における加熱調理器の正面図である。
【図２】同加熱調理器のカバーを取外してドアが開いた状態の正面斜視図である。
【図３】同加熱調理器の断面図である。
【図４】一実施例における加熱調理器のＬＥＤ表示部の説明図である。
【図５】同加熱調理器の操作表示部のタッチパネル付き表示部と操作キー群の説明図である。
【図６】同加熱調理器の操作表示部である。
【図７】同加熱調理器の操作表示部の分解説明図である。
【図８】同加熱調理器の操作表示部のボタンプレートの単体図である。
【図９】同加熱調理器の操作表示部の「あたため／スタート」キー周辺のパネル部の説明図である。
【図１０】同加熱調理器の操作表示部の「あたため／スタート」キー部の断面図である。
【図１１】同加熱調理器の操作表示部の“簡単レンジ”の操作を（ａ）から（ｃ）に従って説明する説明図で、（ｂ）は“表示”と“音声”を示す。
【図１２】同加熱調理器の操作表示部の“簡単レンジ”の操作を説明する説明図で、“表示”と“音声”を示す。
【図１３】同加熱調理器の操作表示部の“簡単レンジ”の操作を（ａ）から（ｂ）に従って説明する説明図で、（ｂ）は“表示”と“音声”を示す。
【発明を実施するための形態】
【００１０】
以下、本発明の一実施例について添付図面を用いて詳細に説明する。
【００１１】
図１〜図３に示すように、本実施例の加熱調理器は、本体１に加熱調理する食品等の被調理物を収容する加熱室２と、加熱室２の前方に設けられ被調理物を出し入れする開閉自在なドア３と、加熱室２の底面に設けられた被調理物を載置する回転しないテーブル４とを備えている。なお、この構成はいわゆるターンテーブルレス式と言われるものである。ドア３は上部に取っ手２６を備えている。
【００１２】
テーブル４の下部には、テーブル４を支える重量センサー５ａ，５ｂ，５ｃを備えており、この重量センサー５ａ，５ｂ，５ｃで検出される被調理物の重量に応じて調理時間を決定することができる。
【００１３】
また、加熱室２内の左奥上部には、サーミスタで構成する温度センサー４０が設けられており、この温度センサー４０が検出する温度に応じて調理出力，調理時間等を決定することもできる。これに赤外線センサーなどを用いてもよい。
【００１４】
また、ドア３の中央部には大きく形成されたガラスから成る窓部２３を備えており、調理中の加熱室２内を覗き見ることができる。さらにドア３の下側には操作表示部６が設けられている。
【００１５】
２５は加熱調理器の両側面と上面を覆うカバーである。
【００１６】
そして、本実施例の加熱調理器は、電子レンジ調理を行うレンジ加熱手段，オーブン調理を行うオーブン加熱手段，グリル調理を行うグリル加熱手段，スチーム調理を行うスチーム加熱手段の４種類の加熱手段を単独もしくは組み合わせて行うことにより多様な調理を行うことができる。
【００１７】
まず、図２，図３を用いて加熱手段について説明する。
【００１８】
電子レンジ調理は、テーブル４上に載置した被調理物にマイクロ波を与え、被調理物内の水分等の分子を振動させることで発生する摩擦熱によって積極的に被調理物を加熱する調理方法である。この電子レンジ調理の特徴としては、被調理物の表面と内部の温度を同時に短時間で加熱して上昇させることが挙げられる。
【００１９】
電子レンジ調理を行うためのレンジ加熱手段は、電子レンジ調理の加熱源であるマイクロ波を発振するマグネトロン７と、マグネトロン７から発振するマイクロ波の出力を制御するインバータ基板８を備えている。このインバータ基板８は制御手段９により制御され所望のマイクロ波を被調理物に与え電子レンジ加熱を行うことができる。
【００２０】
また、マグネトロン７から発振したマイクロ波を加熱室２に導く導波管１０と、加熱室２にマイクロ波を攪拌しながら照射する回転アンテナ１１と、回転アンテナ１１を回転させるアンテナモータ１２を備えており、マイクロ波が一部に集中するのを防ぐため、制御手段９がアンテナモータ１２を制御して回転アンテナ１１を回転させて所望の攪拌動作を行っている。
【００２１】
そして、マグネトロン７と、導波管１０と、回転アンテナ１１と、アンテナモータ１２は加熱室底２ａと底板３０との間の機械室１３に配置している。
【００２２】
次に、グリル調理について説明する。加熱室２の上壁面の外側に電熱ヒータ１４を備えている。この電熱ヒータ１４は制御手段９により制御され、加熱室２の上壁面を適切な温度にすることで、テーブル４上に載置した被調理物に所望の輻射熱（遠赤外線）を与えて被調理物を表面から焼き上げる加熱方法でグリル調理を行う。
【００２３】
次に、オーブン調理について説明する。オーブン調理は、テーブル４上に載置した被調理物に、加熱室奥２ｂの外側に設けた熱風ユニット１５により被調理物に熱風を与えることにより被調理物を加熱する加熱方法である。
【００２４】
オーブン調理を行うためのオーブン加熱手段は熱風ユニット１５によって構成され、熱風ユニット１５は、加熱室奥２ｂのほぼ中央に回転自在に設けられたファン等の送風手段１６と、この送風手段１６の空気流の流出側に設けられた電熱ヒータ１７と、送風手段１６に連結されたモータ１８とで構成される。
【００２５】
そして、電熱ヒータ１７付近の孔２１から出た熱風は被調理物を加熱し、被調理物を加熱した後の風は加熱室奥２ｂの略中央部に設けられた孔２２を介して再び熱風ユニット１５に取り込まれる。
【００２６】
次に、スチーム調理について説明する。スチーム調理は、テーブル４上に載置した被調理物にスチームを与え、被調理物を加熱する調理方法である。スチーム調理を行うためのスチーム加熱手段は、図１に示すように、加熱室２の下に着脱自在のタンク５０を備え、タンク５０の水をパイプ５１を通して給水手段１９で吸い上げてパイプ５２で供給された水をヒータによって加熱してスチームを発生させる蒸気発生手段２０を備えている。蒸気発生手段２０は加熱室側面２ｃの外側に設けられ加熱室２に噴出口７ａを出している。この給水手段１９と蒸気発生手段２０は制御手段９により制御され、加熱室２に所望の量のスチームを供給する。
【００２７】
次に、ドア３の下側に設けられた操作表示部６とドア３の窓部２３の下部に設けたＬＥＤ表示部１００について、図１，図４〜図７を用いて詳細に説明する。
【００２８】
操作表示部６は、ドア３の横幅全体に渡って設け、その操作表示部６の横幅の略中央にタッチパネル付き表示部７０（詳細は後述）と、タッチパネル付き表示部７０の右に隣接して、横２個で２段に配列した４個の操作キーでなる操作キー群６０と、その右側で上側に「あたため／スタート」キー５２、下側に「とりけし」キー５３を上下に並べて設けている。
【００２９】
タッチパネル付き表示部７０は、表示する液晶表示器３７の表面に、使用者の指にて押下された時に、押下された位置の静電容量を変化するタッチパネル３８を設けて、制御手段９は、液晶表示器３７に表示する内容を出力し、表示した中でキーを表示する部分についてタッチパネル３８の静電容量が変化した位置のスイッチ入力を検出するものである。
【００３０】
タッチパネル付き表示部７０の表示内容について、本体１に通電された待機状態を表示しているメニュー画面である図５を用いて説明する。図５に示すように、左端の上にオート調理を示す「オート」表示７１を配置し、その下には手動加熱を示す「手動」表示７２を配置する。また、「オート」表示７１の右には、横３列縦２段で６個のオート調理用のキーが表示され、同様に「手動」表示７２の右には、横３列で３個の手動調理用のキーが表示される。
【００３１】
オート調理は、上段に左から、「あたため」キー７９，「料理集番号から」キー８０，「最近使ったメニュー」キー８１、下段に左から、「解凍下ごしらえ」キー７６，「調理分類から」キー７７，「材料から」キー７８を配置して構成されている。それぞれのキーを押下する操作によって、次の階層の表示へ移行し、何段階か階層を深くすることによって、所望のオート調理の料理の名称を選択できるようになっている。
【００３２】
一方、手動調理は、左から「レンジ」キー７３，「スチーム／オーブン／グリル・発酵」キー７４，「お手入れ／設定」キー７５で構成されている。それぞれのキーを押す操作によって、次の階層の表示へ移行して、何段階の階層を深くすることにより、所望の手動加熱による火力と加熱時間と仕上がり調整などの設定ができるようになっている。
【００３３】
また、操作キー群６０について、同様に図５で説明する。操作キー群６０は、タッチパネル付き表示部７０の右に隣接して、横２個で２段に配列した４個の操作キーで構成する。上段は左から「戻る」キー５４，「おしえて」キー５５、下段は左から「庫内灯」キー５６，「簡単レンジ」キー５７を配置して構成され使い勝手を考慮してキーの面積を大きめに設定されている。それぞれのキーは制御手段９に入力している。
【００３４】
「戻る」キー５４は、タッチパネル付き表示部７０の操作中に、誤設定を訂正するときに一つ前の階層に戻るものである。「おしえて」キー５５は音声ガイドを報知させるもので、ＬＥＤ表示部１００の「音声」表示１０８が点灯する。「庫内灯」キー６２は、被調理物の様子を確認するときに庫内の照明（図示無し）を点灯させるものである。「簡単レンジ」キー５７は、簡単に加熱設定を行うもので、選択内容としては、前述した４種類の調理を行う各加熱手段を単独もしくは組み合わせることも可能である。本実施例では「簡単レンジ」キー５７が入力されると、手動レンジ加熱が選択され、タッチパネル付き表示部７０に表示する汎用性の高い特定の二つの火力の選択キーから選択し、加熱時間設定を１０分未満に限定するレンジ加熱動作の容易な操作へ導入をするものである。
【００３５】
操作表示部６の右方で上側に「あたため／スタート」キー５２、その下側に「とりけし」キー５３を上下に並べて配置している。使い勝手を考慮して、「あたため／スタート」キー５２の方が「とりけし」キー５３よりも面積を大きく設けている。また、「あたため／スタート」キー５２と、「とりけし」キー５３は、機械式スイッチを用いている。
【００３６】
「あたため／スタート」キー５２は、被調理物の重量を重量センサー５によって測定し重量に応じて加熱時間を自動で決定してレンジ加熱手段によって温める自動キーと、後述するタッチパネル付き表示部７０で操作した設定によって調理を開始するときに押すスタートキーを兼ねている。「とりけし」キー５３は、進行中の加熱を停止して、待機状態へ移行させ被調理物を取出す場合に操作するものである。
【００３７】
次に、ＬＥＤ表示部１００の表示とその内容について、図４を用いて説明する。「シャッター」表示１０１は、排気口への熱気漏れを防止するために、加熱室２の排気路をシャッターで閉塞した場合に点灯する。「レンジ」表示１０２，「オーブン」表示１０３，「グリル」表示１０４，「過熱水蒸気」表示１０５，「スチーム」表示１０６は、前記したそれぞれの加熱手段が一つまたは複数組み合わせて実施されている場合に動作に合わせて点灯する。「チャイルドロック」表示１０７は、操作表示部６による操作でチャイルドロックを設定した場合に点灯する。「音声」表示１０８は、操作表示部６で「おしえて」キー５５（図５）を押下されて音声ガイドを報知する場合に点灯する。
【００３８】
次に、操作表示部６とＬＥＤ表示部１００の構造を、図６〜図１０を用いて説明する。図６は、操作表示部６の斜視図であり、図７〜図１０は操作表示部６およびＬＥＤ表示部１００を詳細に説明するための図である。
【００３９】
図６，図７等に示す３１はパネルシートで、その材料は表面をハードコート処理したポリカーボネート材、もしくはアクリル材の板を使用し、操作キー群６０と「あたため／スタート」キー５２と「とりけし」キー５３を取付けるために開けた開口部３３を設け、タッチパネル付き表示部７０を設ける窓部３１ａと「あたため／スタート」キー５２の外周に設けた外周部３１ｂは塗装を施さないように透明の状態にしている。そして、窓部３１ａの裏側には、両面テープなどによって、タッチパネル付き表示部７０を構成するタッチパネル３８を貼り付けている。
【００４０】
図７に示す３４はボタンプレートで、透明のモールド成形で一体に成形し、入力部は裏側から印刷により不透明に施した表示部５２ｂと、「あたため／スタート」キー５２部の外周には光を通すため未印刷の状態で透明な外周部５２ａを設け、各入力部は押下した後に、元の位置に戻るバネ構造を備えた板バネ３４ａで外郭３４ｂに接続されている。そして、未印刷の外周部５２ａの裏面にローレット処理を行って透過する光を拡散し見栄えを良くしている。ボタンプレート３４の詳細は図８で説明する。
【００４１】
入力部５８は、操作キー群６０と「あたため／スタート」キー５２と「とりけし」キー５３から成っている。３５は、防水・拡散シートで、防水と光を拡散させる目的として設けたポリエチレンテレフタレート製のシートで、ボタンプレート３４で設けた入力部５８の位置にエンボス加工３５ａを施し、入力部５８を押下した時に、押下する力を妨げないようにしている。３６はパネルで、タッチパネル付き表示部７０を構成する液晶表示器３７を取付けるために開口したＬＣＤ開口部３６ａと、パネルシート３１の窓部３１ａの裏側に貼り付けたタッチパネル３８を埋め込む深さを設けた取付け面３６ｅと、タッチパネル３８の接続部３８ａをパネル内に引き込むための穴３６ｂと、ボタンプレート３４を埋め込む深さを設けた取付け面３６ｄと、ボタンプレート３４の操作キー群６０，「あたため／スタート」キー５２，「とりけし」キー５３を押下した時に連動してパネル３６内に制御手段９へ各種設定や指示内容を入力する入力キー４４であるタクトスイッチ４４ａを押す押下部６８を設けている。
【００４２】
各入力部５８と各押下部６８については、「あたため／スタート」キー５２を例にして詳細に説明する。パネル３６に設けた押下部６１は（詳細は図９，図１０）、すり鉢状の反射部６１ｂを形成する。すり鉢状の開口側の大きさは、「あたため／スタート」キー５２の印刷により不透明に施した表示部５２ｂより広く開口し、パネル３６とは左右に設けた板バネ３６ｆ（押下した後に元の位置に戻るためのバネ構造）によって支えられている。そして、反射部６１ｂの開口の反対面には、パネル３６の内側に備えたパネル基板４３に設けたバックライト６７を臨む開口した穴６１ｄを設けている。そして、押下部６１のパネル３６の内側で反射部６１ｂの上側に支点リブ４９ｂを、下側に凸部となるボス部４９を設け、ボス部４９でパネル基板４３に設けられている入力キー４４であるタクトスイッチ４４ａを押す。
【００４３】
そして、押下部６１は、ボタンプレート３４に板バネ３４ａによって固定された「あたため／スタート」キー５２の裏側に防水・拡散シート３５を挟んで、反射部６１ｂの広く開口した側を「あたため／スタート」キー５２側に当接することで、開口部は外周部５２ａの端部に当接し、「あたため／スタート」キー５２を押下した動きを押下部６１に伝え、タクトスイッチ４４ａを押して入力する。
【００４４】
ＬＥＤ表示部１００の内部構造については、４１に示すものは反射板で、発光素子４２ａの光を反射拡散して窓部２３に設けたＬＥＤ表示部１００を照らすもので、反射板４１には仕切り板４１ａで細分化され、それぞれの細分化された中に、ＬＥＤ基板４２に取付けた発光素子４２ａが設けられて、選択された機能に応じて発光素子４２ａを点灯し、ＬＥＤ開口部３６ｃ越しに窓部２３に設けられた表示を照らすようにしている。
【００４５】
以上の構成において、「簡単レンジ」キー５７が入力されて「あたため／スタート」キー５２を押下した動作について説明する。
【００４６】
「簡単レンジ」キー５７を使って、加熱する操作について図１１から図１３によって説明する。まず、被調理物を加熱室２のテーブルプレート５の上に載置させ、ドア３を閉める。操作表示部６のタッチパネル付き表示部７０の表示は、図５に示す待機状態となっている。
【００４７】
「簡単レンジ」キー５７を押下すると、図１１（ａ）に示す表示となる。ここで、操作キー群６０の「戻る」キー５４，「おしえて」キー５５，「庫内灯」キー５６，「簡単レンジ」キー５７の四つのキーは、配置の関係から支持する板バネ３４ａが各キーに対して一箇所しか設けられていない。
【００４８】
しかし、前記同様に、例えば「簡単レンジ」キー５７を支持している板バネ３４ａと、「簡単レンジ」キー５７より更に奥行き方向に位置する板バネ３６ｆで支持されている押下部６６が「簡単レンジ」キー５７の裏面に当接して設けられている。しかも、ボタンプレート３４の外郭３４ｂと「簡単レンジ」キー５７の下側が板バネ３４ａによって繋がれているので、「簡単レンジ」キー５７の下側つまり外郭３４ｂ側を支点として、上側つまり「おしえて」キー５５側が奥へ押し込まれる。
【００４９】
それに対して、パネル３６と押下部６６の左側が板バネ３６ｆによって繋がれているので、押下部６６の左側を支点として押下部６６の右側が奥へ押し込まれる。それによって、大きな操作キーである「簡単レンジ」キー５７の上側が奥へ押し込む動作を、「簡単レンジ」キー５７の略中央部に対抗して設けた比較的小さい押下部６６を右に押し込む小さな動作に限定するため、「簡単レンジ」キー５７は傾き難くなり確実な操作ができる。
【００５０】
また、ボタンプレート３４とパネル３６との間に防水・拡散シート３５を設けているので濡れた手で操作しても、水滴などがパネル３６内に入り込むことは無い。
【００５１】
図１１（ａ）に示すように、タッチパネル付き表示部７０の上部の全横幅に表題表示８２に「かんたんレンジ」を表示する。表題表示８２の下の空間を左右に２分割して火力を選択する「レンジ５００Ｗ」キー８３と「レンジ６００Ｗ」キー８４が表示され、この二つの火力からいずれかを選択する。
【００５２】
ここで、「レンジ５００Ｗ」キー８３と「レンジ６００Ｗ」キー８４を表示する理由は、冷凍食品のパッケージに電子レンジで加熱場合の表記として、現在普及している冷凍食品の多数は、５００Ｗの場合と６００Ｗの場合について、個数に合わせた加熱時間を表示されており、手動レンジ加熱の汎用性が最も高い火力である。そのため、使用者の使い勝手を考慮して５００Ｗと６００Ｗの二つの火力から選択させるものである。
【００５３】
そして、図１１（ｂ）は、「レンジ５００Ｗ」キー８３を選択した場合を示している。選択したことによって、「レンジ５００Ｗ」キー８３が、白地に黒文字の状態から黒地に白抜き文字に変わって選択したことを表している。また、同時に音声により、「５００ワットに設定しました。」と音声で報知する。その後、図１１（ｃ）に示す加熱時間を設定する表示に切り換わる。
【００５４】
図１１（ｃ）は、表題表示８２の右側に、火力表示８５に「５００Ｗ」を表示し、下段には左から「１分」キー８８，「１０秒」キー８９を配置する。
【００５５】
「１分」キー８８の直ぐ上には分の数字を表示する表示部８６を、「１０秒」キー８９の直ぐ上には秒の数字を表示する表示部８７を配置する。表題表示８２の下には、加熱時間を９分５０秒まで表示できるように分の位を表示する表示部８６と、秒の位を表示する表示部８７によって表示する。
【００５６】
分の単位は、０から９まで１分毎、秒の単位は、０から５０秒まで１０秒毎の表示である。分の数字を表示する表示部８６を見ながら「１分」キー８８を、秒の数字を表示する表示部８７を見ながら「１０秒」キー８９を操作するのに適しており、誤操作を少なくする配置である。「１０秒」キー８９の右に「クリア」キー９０を設ける。「クリア」キー９０は、「１分」キー８８，「１０秒」キー８９で時間を設定するときに、所望の数字よりも長い時間の分秒を入力してしまった場合に、０分０秒に表示を戻すキーである。
【００５７】
次に、図１２は、「１分」キー８８で、１分を入力後、「１０秒」キー８９を３回押下して、１分３０秒を設定したきの表示を示している。そして、音声によって、「１分」キー８８を入力したときに、「１分です。」と鳴動し、「１０秒」キー８９を入力したときに、「１分１０秒です。」また「１０秒」キー８９を入力したときに、「１分２０秒です。」そして「１０秒」キー８９を入力したときに、「１分３０秒です。」と音声報知する。
【００５８】
ここで、「１分」キー８８，「１０秒」キー８９，分の数字を表示する表示部８６，秒の数字を表示する表示部８７について、さらに説明する。
【００５９】
冷凍食品を加熱する場合は、レンジによる加熱時間は、個数が増えても最大１０分未満、最小の設定単位は１０秒毎のものがほとんどである。そのため、使用者が１０分未満の短時間を設定するには、１分単位で最大９分５０秒までと１０秒単位で十分である。
【００６０】
そして、４秒間操作しなかった場合に、音声によって、「よろしければスタートボタンを押してください。」と音声報知し、「あたため／スタート」キー５２の内側に備えられたバックライト６７によって「あたため／スタート」キー５２の外周部３１ｂを点滅させ誘導する。
【００６１】
バックライト６７が点灯・点滅すると、反射部６１ｂにて光を前方方向（「あたため／スタート」キー５２側）に集められ、「あたため／スタート」キー５２の裏側を照らすことになる。発光された光は「あたため／スタート」キー５２の裏面に施された印刷面で反射して、反射部６１ｂとの間で乱反射を繰り返して拡散した後、防水・拡散シート３５を透過して「あたため／スタート」キー５２部の外周部に設けた透明な外周部５２ａを透過してパネルシート３１に設けた外周部３１ｂを裏面から照らす。
【００６２】
仮に、防水・拡散シート３５を用いない場合でも、「あたため／スタート」キー５２の裏面と反射部６１ｂとの間で光が拡散できているので、外周部３１ｂの裏面を照らした時に光のムラは発生しない。
【００６３】
前記の音声や点滅に誘導され、「あたため／スタート」キー５２を押下すると、音声によって、「５００ワット１分３０秒です。」と設定内容を音声報知してレンジ加熱を開始する。
【００６４】
「あたため／スタート」キー５２を押下すると、「あたため／スタート」キー５２に防水・拡散シート３５を挟んで当接しているパネル３６に設けた押下部６１も同様に押されて、押下部６１のパネル３６の内側に凸部となるボス部４９によって、パネル基板４３に設けられているタクトスイッチ４４ａを押して制御手段９に「スタート」の入力を伝える。
【００６５】
「あたため／スタート」キー５２は、使い勝手を考慮して面積を大きく設けているが、「あたため／スタート」キー５２を支持している板バネ３４ａと、「あたため／スタート」キー５２より更に奥行き方向に位置する板バネ３６ｆで支持されている押下部６１が「あたため／スタート」キー５２の裏面に当接して設けられている。しかも、押下部６１が奥に移動すると、押下部６１の反射部６１ｂの上側に設けた支点リブ４９ｂがパネル基板４３に当たって規制されて、反射部６１ｂ下側に設けたボス部４９だけが奥側へ移動できるようになり、パネル基板４３に設けたタクトスイッチ４４ａを確実に押すことができる。そのため、例え「あたため／スタート」キー５２の端部を押されても「あたため／スタート」キー５２は傾き難くなり確実な操作ができる。
【００６６】
加熱が開始すると、図４に示すＬＥＤ表示器１００の「レンジ」表示１０２が点灯して、レンジ加熱が行われていることを示す。レンジ加熱中は、図１３（ａ）に示すように、残時間を表示し、調理中であることを示す。残時間を示す表示９１には「あと」を表示し、減算時間表示９２には、１秒毎に減算した時間を表示し、１分１９秒の例を示している。このとき、「１分」キー８８，「１０秒」キー８９，「クリア」キー９０が消灯し、代わって状態表示９３で「調理中です。」を表示する。
【００６７】
最後に、図１３（ｂ）に示すように、タッチパネル付き表示部７０の略真ん中には状態表示９３で「調理が終了しました。」を表示する。また、音声により「調理が終了しました。」と音声報知する。
【００６８】
上記した本実施例によれば、厚さが薄く、発光ムラの少ない入力部５８を備えた調理器を得ることができる。
【符号の説明】
【００６９】
１  本体
２  加熱室
３  ドア
６  操作表示部
９  制御手段
３１ｂ  外周部
３４  ボタンプレート
３４ａ，３６ｆ  板バネ
３５  防水・拡散シート
３６  パネル
３７  液晶表示器
３８  タッチパネル
４３  パネル基板
４４  入力キー
４９  ボス部
５２ａ  外周部
５２ｂ  表示部
５８  入力部
６０  操作キー群
６１，６８  押下部
６１ｂ  反射部
６１ｄ  穴
６７  バックライト
７０  タッチパネル付き表示部
【図１】
2012229876.tif 000003
【図２】
2012229876.tif 000004
【図３】
2012229876.tif 000005
【図４】
2012229876.tif 000006
【図５】
2012229876.tif 000007
【図６】
2012229876.tif 000008
【図７】
2012229876.tif 000009
【図８】
2012229876.tif 000010
【図９】
2012229876.tif 000011
【図１０】
2012229876.tif 000012
【図１１】
2012229876.tif 000013
【図１２】
2012229876.tif 000014
【図１３】
2012229876.tif 000015